(57)【要約】      （修正有）【課題】一般家屋の耐震補強工事として、建物内部の軸組み内に新たな筋交いや壁を増設することが行われているが、この補強方法の場合、建物内に立ち入る必要があり、居住者の生活に多大な不便を来たすことになる他、直接の補強工事以外に既存の部屋の間取りや模様替え、仕上げ材の撤去や復旧などの付帯工事にかなりの費用が発生する。【解決手段】既存建物の隅部外側２面の土台5と桁又は梁6などの構造材に、外側面にＵ溝付パネル取付部材10、14を夫々対向させて固定すると共にＵ溝間に建物階高長を有する一対のコ状成型部材を嵌合組合せた１以上の長尺中空パネル単板16の各端部を嵌合固定した後、中空パネル単板の内部空間にセメントグラウト材Ｇが充填されてユニットパネル補強壁15が構成される。【選択図】図４
2008196267.tif 000002
【特許請求の範囲】
【請求項１】
Ｕ溝を有するパネル取付部材が既存建物の土台及び桁などの構造材に対向して夫々固定されると共に前記各Ｕ溝内に階高長を有する１以上の長尺中空パネル単板の各端部が嵌合固定され、前記中空パネル単板の内部空間にグラウト材が充填されてユニットパネル補強壁が構成され、前記補強壁が建物隅部の外側２面に近設されてなる耐震補強体構造。
【請求項２】
補強壁が既存建物の窓部その他の開口部の両側に設けられてなる請求項１記載の耐震補強体構造。
【請求項３】
土台に固定されたＵ溝付取付部材の底部に鉄筋が垂設され、該鉄筋がモルタルによって布基礎側面と一体化されてなる請求項１又は２記載の耐震補強体構造。
【請求項４】
補強壁を構成する長尺中空パネル単板が、短辺部と長辺部を有する一対の断面コ状部材からなり、前記短辺部を長辺部の外側に位置させて嵌合組合わされて構成された請求項１又は２記載の耐震補強体構造。
【発明の詳細な説明】
【技術分野】
【０００１】
この発明は、木造その他の家屋の耐震補強体に関する。
【背景技術】
【０００２】
一般家屋の耐震補強工事として、建物内部の軸組み内に新たな筋交いや壁を増設することが行われている（非特許文献１）。      この補強方法の場合、建物内に立ち入る必要があり、居住者の生活に多大な不便を来たすことになる他、直接の補強工事以外に既存の部屋の間取りや模様替え、仕上げ材の撤去や復旧などの付帯工事にかなりの費用が発生する。  このようなことから耐震診断によって耐震補強が必要とされる住宅であっても補強工事が実施されていないのが現状である。
【０００３】
【非特許文献１】（財）日本建築防災協会のホームページ、「住宅等防災技術評価概要」（平成１８年９月１日）「耐震セイフティ工法」
【発明の開示】
【発明が解決しようとする課題】
【０００４】
本発明は、建物隅部の外側２面に、補強壁を直角に配設して、既存の構造材に固定することによって震度６程度の地震にも倒壊しない補強体を提供するものであり、更に、補強工事を専ら建物外で行うことによって耐震補強工事を促進させるものである。
【課題を解決するための手段】
【０００５】
本発明補強体は、既存建物の隅部外側２面の土台と桁又は梁などの構造材に、外側面にＵ溝を有する取付部材を夫々対向させて固定すると共にＵ溝間に建物階高長を有する１以上の長尺中空パネル単板の端部を嵌合固定した後、中空パネル単板の内部空間にセメントグラウト材が充填されてユニットパネル補強壁によって構成される。
中空パネル単板は、断面方形の中空体を用いることもできるが、短辺部と長辺部を有し所定寸法に形成された一対の断面コ状部材を現場で嵌合して組立てるものが好ましい。  断面コ状部材は、ステンレス又はアルミなどの金属薄板で折曲げ成型されたもの或いは強化プラスチックによっても成型できる。
また、土台に固定されたＵ溝付取付部材の底部に鉄筋（網組み鉄筋）を垂設し、この鉄筋を増打ちモルタルによって布基礎側面と一体化させることによって上記の補強体構造を更に強化できる。
【発明の効果】
【０００６】
本発明は、Ｕ溝付取付部材の固定、パネル単板の嵌合組立て及びグラウト材注入などの全ての作業を補強建物内に立入らずに建物外で行うから生活に支障をきたすことなく施工できる上、床組みの水平剛性が保持されている家屋であれば、本発明構造を適用することによって大地震時にも建物の倒壊を防ぐことができる。
【発明を実施する最良の形態】
【０００７】
図において、1は既存の建物、2は隅部、3は窓や出入り口などの開口部、4は布基礎の側面、5は土台、6は桁、7は柱、8は壁である。
9は建物隅部に固定された補強体、10は土台側面に固定された取付部材であってＵ溝11と固定板部12を備えている。  14は、桁６に固定されたＵ溝付取付部材であって取付部材10と同一の構成であり、それぞれ取付ボルト13によって固定されている。
15は、扁平な中空パネル単板16の内部空間にモルタルグラウトＧが充填された長尺のユニットパネル補強壁である。  パネル単板16は、階高と略同一の長さを有し、巾300〜600ｍｍ、厚さ10〜30ｍｍの成型体であって金属薄板又は繊維強化プラスチックによって製作される。    また、中空パネル単板16は、図６、図７に示すように短辺部17と長辺部18を有する断面コ状部材19を現場で対向させて嵌合して形成するものが好ましい。  なお、パネル単板の嵌合組合わせにおいて、短辺部17が図のように長辺部18の外面側になるように組合せるとグラウト充填時の膨らみを少なくすることができる。
20は固定ボルト孔、21はグラウト注入口、22は空気抜き孔であって夫々、表装板24の対応箇所にも穿設されている。  23はグラウト充填時のはらみ防止用のスペーサボルトである。
【０００８】
上記の構成を建物隅部に配設固定することによって家屋の耐震性を顕著に改善できるが、更なる増強を図るため図４の構成を付加することが有効である。
即ち、土台5に固定された溝付取付部材10の底面に、布基礎側面4と並行する鉄筋30を垂設すると共に増打ちモルタル31を塗着する。  この施工によって取付部材10と鉄筋30及び布基礎４が一体化される。
【０００９】
（補強壁の組付け）
土台5及び桁6にＵ溝付取付部材10、14をボルト13によって固定する。  中空パネル単板16の端部を必要枚数だけＵ溝内に挿入し、更に表装板24を装入して夫々の端部を取付部材10、14に締付け固定20した後、注入口21からホースとポンプによってセメントグラウトＧを充填する。
充填完了は、空気抜き孔22からの漏出によって確認できる。  その後、隅角部25にモルタルなどの充填材26を充填して完了する。  なお、必要な場合は土台の取付部材を布基礎に一体化させて補強する。
【００１０】
図８は、建物の窓や出入り口の補強例であって、左右のユニットパネル15の上部間に横置ユニットパネル15Ａを配置して図９に示す断面Ｈ型の連結金具27を介してボルト連結したものである。  横置パネルは、中空パネル単板内に予めグラウト材を充填して固化させたものでも使用でき、このパネルは、例えば上下に窓があるような場合に、窓間に配置しても有効である。
【図面の簡単な説明】
【００１１】
【図１】家屋の隅部に補強壁を適用した概要平面図
【図２】同上立面図
【図３】補強壁の正面図
【図４】図３のＡ−Ａ縦断側面図
【図５】隅部の拡大上面図
【図６】ユニットパネルの外観図であって（Ａ）は全体斜視図、（Ｂ）は正面図
【図７】図６のＢ−Ｂ拡大断面図
【図８】門型補強壁の正面図
【図９】連結部の拡大断面図
【符号の説明】
【００１２】
２  建物の隅部
４  布基礎の側面
５  土台
６  桁
７  柱
９  補強壁
１０、１４  Ｕ溝付パネル取付部材
１２  取付板部
１３  取付ボルト
１５  ユニットパネル補強壁
１６  長尺中空パネル単板
Ｇ    モルタルグラウト
１９  コ状成型部材
２０  固定用ボルト孔
２１  グラウト注入口
２２  抜き孔
２３  スペーサボルト
２４  表装板
２５  突合せ隅角部
２６  充填材
３０  鉄筋
３１  増打ちモルタル
【図１】
2008196267.tif 000003
【図２】
2008196267.tif 000004
【図３】
2008196267.tif 000005
【図４】
2008196267.tif 000006
【図５】
2008196267.tif 000007
【図６】
2008196267.tif 000008
【図７】
2008196267.tif 000009
【図８】
2008196267.tif 000010
【図９】
2008196267.tif 000011